【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
空気排出開口と中央部近傍に水排出用開口と片方側に被保持部を具備する中央管と資源を採取或いは採掘する資源回収開口と前記資源回収開口を閉鎖する資源開口閉鎖手段を端部に備え前記中央管の前記片方側に位置する蛇腹により伸縮可能な片方蛇腹管と前記中央管のもう一方側に位置する蛇腹により伸縮可能な他方蛇腹管とを備えた資源回収用管と、前記中央管の内部を貫通し前記水排出用開口を閉鎖可能な比重が水より小さな内部貫通部材と、前記資源回収用管の被保持部を保持し前記資源回収用管を水平位置或いは前記資源回収開口を水中の垂直位置に移動させる浮体構造物を備え、前記資源回収用管が水平位置の際内部に水と空気を内蔵すると共に前記他方蛇腹管を畳んだ後前記資源回収用管を垂直位置に移動して前記資源回収開口を水中の垂直位置に移動させると共に前記資源回収用管内で前記内部貫通部材の上部の空気を前記空気排出開口から自然エネルギーにより排気することにより前記資源回収用管内の水面を前記資源回収用管外の水面より上部に移動させ前記内部貫通部材を前記中央管内の上部に移動させることにより前記水排出用開口を開放状態にして前記水排出用開口より海水又は湖水或いは川水を前記資源回収用管の外に放出し前記資源回収用管内の海水又は湖水或いは川水を徐々に上部に移動させて前記資源回収用管内の海水又は湖水或いは川水を循環することにより前記資源回収開口より前記資源回収用管内に資源を採取或いは採掘して捕獲した後前記他方蛇腹管を伸ばし前記資源回収用管を再び水平位置に移動して捕獲した前記資源を回収することを特徴とする水中資源回収装置。
【請求項２】
空気排出開口と中央部近傍に水排出用開口と片方側に被保持部を具備する中央管と資源を採取或いは採掘する資源回収開口と前記資源回収開口を閉鎖する資源開口閉鎖手段を端部に備え前記中央管の前記片方側に位置する蛇腹により伸縮可能な片方蛇腹管と前記中央管のもう一方側に位置する蛇腹により伸縮可能な他方蛇腹管とを備えた資源回収用管と、前記中央管の内部を貫通し前記水排出用開口を閉鎖可能な比重が水より小さな内部貫通部材と、前記資源回収用管の被保持部を保持し前記資源回収用管を水平位置或いは前記資源回収開口を海底又は湖底或いは川底近傍の垂直位置に移動させると共にその水面との角度を少し変更する角度変更手段を具備する浮体構造物と、前記資源回収用管下部に具備された撮像手段及び発光手段と前記資源回収用管の中央管に具備され前記撮像手段の出力を表示する表示手段とを備え、前記資源回収用管が水平位置の際内部に水と空気を内蔵すると共に前記他方蛇腹管を畳んだ後前記資源回収用管を垂直位置に移動して前記資源回収開口を海底又は湖底或いは川底近傍の垂直位置に移動させると共に前記角度変更手段により前記資源回収用管の水面との角度を少し変更して前記表示手段により前記資源回収開口付近の資源を検出すると共に前記資源回収用管内で前記内部貫通部材の上部の空気を前記空気排出開口から自然エネルギーにより排気することにより前記資源回収用管内の水面を前記資源回収用管外の水面より上部に移動させて前記内部貫通部材を前記資源回収用管内の上部に移動させることにより前記水排出用開口を開放状態にして前記水排出用開口より海水又は湖水或いは川水を前記資源回収用管の外に放出し前記資源回収用管内の海水又は湖水或いは川水を徐々に上部に移動させて前記資源回収用管内の海水又は湖水或いは川水を循環することにより前記資源回収開口より検出された前記資源を前記資源回収用管内に採取或いは採掘して捕獲した後、前記他方蛇腹管を伸ばし前記資源回収用管を再び水平位置に移動して捕獲した前記資源を回収することを特徴とする水中資源回収装置。
【請求項３】
前記中央管が下部に比較して内外径を大きくし下部は前記資源回収用管の片方蛇腹管が長さを調節可能で何重にも重なり下部にいくほど内外径が小さな管で構成することを特徴とする請求項１〜２のいずれか一項に記載の水中資源採掘装置である。
【請求項４】
前記浮体構造物が移動可能であることを特徴とする請求項２〜３のいずれか一項に記載の水中資源回収装置である。
【請求項５】
前記資源回収用管最下部の内外径を小さくしたことを特徴とする請求項１〜４のいずれか一項に記載の水中資源回収装置である。
【請求項６】
前記資源回収用管最下部の内外径を最下部直上部より大きくし前記最下部直上部の内外径を小さくしたことを特徴とする請求項１〜４のいずれか一項に記載の水中資源回収装置である。
【請求項７】
海底又は湖底或いは川底近傍の前記資源回収用管の下部又は外部或いは下部及び外部に海底又は湖底或いは川底を掘削する資源掘削手段を具備することを特徴とする請求項１〜６のいずれか一項に記載の水中資源回収装置である。
【請求項８】
前記資源掘削手段を移動させる移動手段を前記資源回収用管が具備することを特徴とする請求項７に記載の水中資源回収装置である。
【請求項９】
海底又は湖底或いは川底近傍の前記資源回収用管の下部又は外部或いは下部及び外部に海底又は湖底或いは川底の団塊を粉砕する団塊粉砕手段を具備することを特徴とする請求項１〜６のいずれか一項に記載の水中資源回収装置である。
【請求項１０】
前記資源回収用管の下部又は外部或いは下部及び外部の資源掘削手段或いは資源粉砕手段及び資源回収開口は下部開口を具備する外部筺体中に密閉して内蔵されていることを特徴とする請求項７〜９のいずれか一項に記載の水中資源回収装置である。
【請求項１１】
長さが調節可能で前記資源回収用管下部を操作可能な外部操作部材により資源掘削手段或いは資源粉砕手段を操作することを特徴とする請求項７〜９のいずれか一項に記載の水中資源採掘装置である。
【請求項１２】
前記資源回収用管下部と前記外部操作部材により上部が貫通されると共に下部開口を具備する外部筺体内に前記資源掘削手段或いは資源粉砕手段は密封して内蔵されることを特徴とする請求項１１に記載の水中資源採掘装置である。
【請求項１３】
前記資源掘削手段或いは資源粉砕手段は前記外部筺体内で相対的に移動して掘削或いは粉砕することを特徴とする請求項１2に記載の水中資源回収装置である。
【請求項１４】
前記浮体構造物は移動可能ことを特徴とする請求項１〜１３のいずれか一項に記載の水中資源回収装置である。
【請求項１５】
自然エネルギーの発電手段と蓄電手段を具備しその電力により前記浮体構造物を移動させることを特徴とする請求項１４に記載の水中資源回収装置である。
【請求項１６】
一端の上部に空気排出開口と大きな内外径有し水面上の下部の水排出用開口を上部に具備すると共に海底又は湖底或いは川底近傍の他端の下部に内外径を小さくして資源を効率良く採掘する資源回収開口を具備する資源回収手段と、前記資源回収手段上部の内部を貫通し前記内部の水面が前記資源回収手段外の水面と同じである際前記水排出用開口を閉鎖する比重が水より小さな内部部材と、前記空気排出開口と接続し前記資源回収手段内で前記内部部材の上部の空気を排気する空気排気手段と、前記水排出用開口より放出される水を貯水する貯水槽を備え、前記空気排気手段により前記資源回収手段内の前記内部部材の上部の空気を排気することにより前記資源回収手段内の水面を前記資源回収手段外の水面より上部に移動させて前記内部部材を前記資源回収手段内の上部に移動させることにより前記水排出用開口を開放状態にし前記水排出用開口より海水又は湖水或いは川水を前記資源回収手段の外に放出して前記貯水槽に貯水すると共に前記資源回収手段内の海水又は湖水或いは川水を徐々に上部に移動させて循環し海底又は湖底或いは川底近傍の小さな内外径の前記資源回収開口より資源を効率良く前記資源回収手段内に採掘した後前記資源開口を閉鎖して前記資源を捕獲すると共に前記資源回収手段を海面又は湖面或いは川面近傍に移動して捕獲した前記資源を回収し前記浮体構造物を移動させることを特徴とする水中資源回収装置。
【請求項１７】
一端の上部に空気排出開口と大きな内外径有し水面上の下部の水排出用開口を上部に具備すると共に海底又は湖底或いは川底近傍の他端の下部は内外径を小さくして資源を効率良く採掘する資源回収開口を具備する資源回収手段と、前記資源回収手段を保持するとともにその水面との角度を少し変更する角度変更手段を具備する浮体構造物と、前記資源回収手段上部の内部を貫通し前記内部の水面が前記資源回収手段外の水面と同じである際前記水排出用開口を閉鎖する比重が水より小さな内部部材と、前記空気排出開口と接続し前記資源回収手段内で前記内部部材の上部の空気を排気する空気排気手段と、前記資源回収開口を閉鎖する資源開口閉鎖手段と、前記資源回収手段下部に具備された撮像手段及び発光手段及び前記資源回収手段の上端部に具備され前記撮像手段の出力を表示する表示手段と前記水排出用開口より放出される水を貯水する貯水槽とを備え、前記角度変更手段により前記資源回収手段の水面との角度を少し変更して前記表示手段により海底又は湖底或いは川底近傍の団塊を検出すると共に前記空気排気手段により前記資源回収手段内の前記内部部材の上部の空気を排気することにより前記資源回収手段内の水面を前記資源回収手段外の水面より上部に移動させて前記内部部材を前記資源回収手段内の上部に移動させることにより前記水排出用開口を開放状態にし前記水排出用開口より海水又は湖水或いは川水を前記資源回収手段の外に放出して前記貯水槽に貯水すると共に前記資源回収手段内の海水又は湖水或いは川水を徐々に上部に移動させて循環し海底又は湖底或いは川底近傍の小さな内外径の前記資源回収開口より検出された前記資源を効率良く前記資源回収手段内に採掘した後、前記資源開口を閉鎖して前記資源を捕獲すると共に前記資源回収手段を海面又は湖面或いは川面近傍に移動して捕獲した前記資源を回収し前記浮体構造物を移動させることを特徴とする水中資源回収装置。
【請求項１８】
海底又は湖底或いは川底近傍の前記資源回収手段の下部又は外部或いは下部及び外部に海底又は湖底或いは川底の団塊を粉砕する団塊粉砕手段を具備することを特徴とする請求項１６或いは請求項１７はのいずれかのい一項に記載の水中資源回収装置である。
【請求項１９】
前記浮体構造物を移動させることを特徴とする請求項１６〜１８のいずれかのい一項に記載の水中資源回収装置である。
【請求項２０】
自然エネルギーの発電手段と蓄電手段を具備しその電力により前記浮体構造物は移動させることを特徴とする請求項１９に記載の水中資源回収装置である。
【請求項２１】
前記資源回収手段下部の前記団塊粉砕手段を移動させる移動手段を前記資源回収手段が具備することを特徴とする請求項１８に記載の水中資源回収装置である。
【請求項２２】
一端の上部に空気排出開口と水面上の下部の水排出用開口を上部に具備し資源を採取或いは採掘する資源回収開口を他端の下部に具備する資源回収用管を海上又は湖上或いは川上の浮体構造物から敷設する第１のステップと、前記資源回収用管の内部を貫通し内部の水面が前記資源回収用管外の水面と同じの際前記水排出用開口を閉鎖する比重が水より小さな内部貫通部材の上部の空気を排気することにより前記資源回収用管内の水面を前記資源回収用管外の水面より上部に移動させ前記内部貫通部材を前記資源回収用管内の上部に移動させ前記水排出用開口より海水又は湖水或いは川水を前記資源回収用管外の貯水槽に放出して前記資源回収用管内の海水又は湖水或いは川水を徐々に上部に移動させて循環し前記資源回収開口より前記資源回収用管の下部の資源を前記資源回収用管内に採取或いは採掘して前記資源回収用管内に捕獲する第２のステップよりなる請求項２或いは請求項３のいずれかのい一項に記載の水中資源回収装置の資源回収方法である。
【請求項２３】
一端の上部に空気排出開口と水面上の下部の水排出用開口を上部に具備し資源を採取或いは採掘する資源回収開口を他端の下部に具備する資源回収用管を海上又は湖上或いは川上の浮体構造物から敷設する第１のステップと、前記資源回収用管の内部を貫通し内部の水面が前記資源回収用管外の水面と同じの際前記水排出用開口を閉鎖する比重が水より小さな内部貫通部材の上部の空気を排気することにより前記資源回収用管の中央管内の水面を前記中央管外の水面より上部に移動させて前記内部貫通部材を前記中央管内の上部に移動させ前記水排出用開口より海水又は湖水或いは川水を前記資源回収用管外の貯水槽に放出して前記資源回収用管内の海水又は湖水或いは川水を徐々に上部に移動させて循環し前記資源回収開口より前記資源回収用管の下部の資源を前記資源回収用管内に採取或いは採掘して前記資源回収用管内に捕獲する第２のステップと、前記資源回収用管とほぼ同じ体積の容器を接続し前記資源回収用管内に空気と採取或いは採掘した資源及び海水又は湖水を充填した状態で前記くさりを介して前記資源回収用管を海上或いは湖上に浮かべる第３のステップと、下部の資源を捕獲した前記資源回収用管を移送地に移送する第４のステップよりなる請求項２或いは請求項３のいずれかのい一項に記載の水中資源回収装置の資源回収方法である。
【請求項２４】
資源回収開口を具備し長さが調節可能な下部資源回収用管と、一端の上部に空気排出開口と水面上の下部に水排出用開口を具備する上部資源回収用管の二体構成で前記資源回収用管を構成し、前記第１のステップが前記下部資源回収用管の長さを調節して前記資源回収開口を敷設するステップと、前記上部資源回収用管を前記下部資源回収用管と結合するステップよりなる請求項２２〜２３のいずれかのい一項に記載の資源回収方法である。
【請求項２５】
採取或いは採掘する前は、資源回収用管を水平位置或いは前記資源回収開口を海底又は湖底近傍の垂直位置に移動させる前記浮体構造物が資源回収用管の内部に水と空気を内蔵する状態で水平位置に保持する第１のステップと、採取或いは採掘の際に、もう一方の端部の蛇腹により伸縮可能な他方蛇腹管を折り畳むと共に前記浮体構造物が前記片方蛇腹管を前記資源回収開口が海底又は湖底近傍に移動するべく前記資源回収用管を垂直位置に移動させ前記空気排出開口と中央部近傍の前記水排出用開口が水上に位置させる第２のステップと、前記角度変更手段により前記資源回収用管の中央管の水面との角度を少し変更して前記表示手段により前記資源回収開口付近の資源を検出する第３のステップと、前記資源回収用管の中央管内で前記内部貫通部材の上部の空気を前記自然エネルギー発電手段により排気する空気排気手段によって前記空気排出開口から空気を排気し前記資源回収用管内の水面を前記資源回収用管外の水面より上部に移動させ前記内部貫通部材を前記資源回収用管の中央管内の上部に移動させることにより前記資源回収用管内の海水又は湖水を徐々に上部に移動させ前記資源回収用管内の海水又は湖水を循環することにより前記表示手段より検出された前記資源を前記資源回収開口より前記資源回収用管内に挿入し前記資源を捕獲すると共に前記水排出用開口より海水又は湖水を前記資源回収用管の外に放出し前記貯水槽に貯水する第４のステップと、捕獲された前記資源が十分に前記資源回収用管内に蓄積収納された後、前記資源回収用管を再び水平位置に移動する前に中央管の前記水排出用開口を閉鎖しもう一方の端部の伸縮可能な他方蛇腹管の蛇腹を伸ばした後前記空気排出開口を閉鎖すると共に端部に資源回収開口を具備する前記片方蛇腹管を鎖により再び水平位置に移動し前記浮体構造物のバラスト水を制御することにより前記浮体構造物を沈めて蛇腹を伸ばした他方蛇腹管の空気と前記片方蛇腹管の蓄積収納された前記資源と海水又は湖水を内在して海水又は湖水上を浮力により浮く状態の前記資源回収用管を海水又は湖水上に浮べる第５のステップと、資源を捕獲した前記資源回収用管を移送地に移送する第６のステップよりなる請求項２２或いは請求項２３のいずれかのい一項に記載の水中資源回収装置の資源回収方法である。
【請求項２６】
一端の上部に水面上の下部の水排出用開口を具備し資源を採取或いは採掘する資源回収開口を他端の下部に具備する資源回収手段と、前記資源回収手段の内部に水面が前記資源回収手段外の水面と同じである際前記水排出用開口を閉鎖する比重が水より小さな内部部材を備え、前記資源回収手段内の上部の空気を排気し前記資源回収手段内上部の水面を前記資源回収手段外の水面より上部に移動させることにより前記内部部材を前記資源回収手段内の上部に移動させて前記水排出用開口の閉鎖を放出可能にすることにより前記水排出用開口より海水又は湖水或いは川水を前記資源回収手段の外に放出して前記資源回収手段内の海水又は湖水或いは川水の下層水を徐々に上部に移動させ前記資源回収手段用管内の海水又は湖水或いは川水の下層水を循環することにより前記資源回収開口より前記資源を前記資源回収手段内に採取或いは採掘して捕獲すると共に前記資源回収手段を移動して前記資源を回収することを特徴とする水中資源回収装置。
【請求項２７】
一端の上部に空気排出開口と水面上の下部の水排出用開口を具備し資源を採取し或いは採掘する資源回収開口と前記資源回収開口を閉鎖する資源開口閉鎖手段を他端の下部に具備する資源回収手段と、前記資源回収手段の一端の上部を保持する保持部材と前記水排出用開口から排出される水を貯水する着脱可能な貯水槽を具備すると共に前記資源回収手段の水面との角度を少し変更する角度変更手段を具備する浮体構造物と、前記資源回収手段の内部に水面が前記資源回収手段外の水面と同じである際前記水排出用開口を閉鎖する比重が水より小さな内部部材と、自然エネルギー発電手段と、前記空気排出開口と接続され前記資源回収手段内での前記内部部材の上部の空気を前記自然エネルギー発電手段により排気する空気排気手段と、前記資源回収手段下部に具備された撮像手段及び発光手段と前記資源回収手段の上端部に具備され前記撮像手段の出力を表示する表示手段とを備え、前記角度変更手段により前記資源回収手段の水面との角度を少し変更して前記表示手段により前記資源回収手段下部の資源を検出し前記空気排気手段により前記資源回収手段内の上部の空気を排気し前記資源回収手段内上部の水面を前記資源回収手段外の水面より上部に移動させることにより前記内部部材を前記資源回収手段内の上部に移動させて前記水排出用開口の閉鎖を放出可能にすることにより前記水排出用開口より海水又は湖水或いは川水を前記資源回収手段の外に放出して前記貯水槽に貯水すると共に前記資源回収手段内の海水又は湖水或いは川水の下層水を徐々に上部に移動させ循環することにより検出された前記資源を前記資源回収開口より挿入することにより前記資源を前記資源回収手段内に採取或いは採掘した後、前記資源開口閉鎖手段により前記資源回収開口を閉鎖し前記資源を捕獲すると共に前記資源回収手段を移動して前記資源を回収することを特徴とする水中資源回収装置。
【請求項２８】
一端の上部に空気排出開口と大きな内外径有し水面上の下部の水排出用開口を具備すると共に資源を効率良く採掘する内外径の小さな資源回収開口と前記資源回収開口を閉鎖する資源開口閉鎖手段を他端の下部に具備する資源回収手段と、前記資源回収手段上部の内部に水面が前記資源回収手段外の水面と同じである際前記水排出用開口を閉鎖する比重が水より小さな内部部材と、前記空気排出開口と接続し前記資源回収手段内で前記内部部材の上部の空気を排気する空気排気手段と、前記水排出用開口より放出される水を貯水する貯水槽を備え、前記空気排気手段により前記資源回収手段内の上部の空気を排気し前記資源回収手段内上部の水面を前記資源回収手段外の水面より上部に移動させることにより前記内部部材を前記資源回収手段内の上部に移動させて前記水排出用開口の閉鎖を放出可能にすることにより前記水排出用開口より海水又は湖水或いは川水を前記資源回収手段の外に放出して前記貯水槽に貯水すると共に前記資源回収手段内の海水又は湖水或いは川水の下層水を徐々に上部に移動させて循環し海底又は湖底或いは川底近傍の小さな内外径の前記資源回収開口より資源を効率良く前記資源回収手段内に採掘した後前記資源開口閉鎖手段により前記資源開口を閉鎖し前記資源を捕獲すると共に前記資源回収手段を移動して前記資源を回収することを特徴とする水中資源回収装置。
【手続補正２】
【補正対象書類名】明細書
【補正対象項目名】０００５
【補正方法】変更
【補正の内容】
【０００５】
本願発明は、一端の上部に水面上の下部の水排出用開口を具備し水中の生物資源又は植物資源を採取し或いは有機物資源又は無機物資源を採掘する資源回収開口を他端の下部に具備する資源回収手段により前記資源回収手段内の海水又は湖水或いは川水の下層水を循環して資源を前記資源回収開口より採取し或いは採掘することを特徴とする水中資源回収装置を提供するものである。
請求項1に記載の水中資源回収装置は、空気排出開口と中央部近傍に水排出用開口と片方側に被保持部を具備する中央管と資源を採取或いは採掘する資源回収開口と前記資源回収開口を閉鎖する資源開口閉鎖手段を端部に備え前記中央管の前記片方側に位置する蛇腹により伸縮可能な片方蛇腹管と前記中央管のもう一方側に位置する蛇腹により伸縮可能な他方蛇腹管とを備えた資源回収用管と、前記中央管の内部を貫通し前記水排出用開口を閉鎖可能な比重が水より小さな内部貫通部材と、前記資源回収用管の被保持部を保持し前記資源回収用管を水平位置或いは前記資源回収開口を水中の垂直位置に移動させる浮体構造物を備え、前記資源回収用管が水平位置の際内部に水と空気を内蔵すると共に前記他方蛇腹管を畳んだ後前記資源回収用管を垂直位置に移動して前記資源回収開口を水中の垂直位置に移動させると共に前記資源回収用管内で前記内部貫通部材の上部の空気を前記空気排出開口から自然エネルギーにより排気することにより前記資源回収用管内の水面を前記資源回収用管外の水面より上部に移動させ前記内部貫通部材を前記中央管内の上部に移動させることにより前記水排出用開口を開放状態にして前記水排出用開口より海水又は湖水或いは川水を前記資源回収用管の外に放出し前記資源回収用管内の海水又は湖水或いは川水を徐々に上部に移動させて前記資源回収用管内の海水又は湖水或いは川水を循環することにより前記資源回収開口より前記資源回収用管内に資源を採取或いは採掘して捕獲した後前記他方蛇腹管を伸ばし前記資源回収用管を再び水平位置に移動して捕獲した前記資源を回収することを特徴とする。
請求項２に記載の水中資源回収装置は、空気排出開口と中央部近傍に水排出用開口と片方側に被保持部を具備する中央管と資源を採取或いは採掘する資源回収開口と前記資源回収開口を閉鎖する資源開口閉鎖手段を端部に備え前記中央管の前記片方側に位置する蛇腹により伸縮可能な片方蛇腹管と前記中央管のもう一方側に位置する蛇腹により伸縮可能な他方蛇腹管とを備えた資源回収用管と、前記中央管の内部を貫通し前記水排出用開口を閉鎖可能な比重が水より小さな内部貫通部材と、前記資源回収用管の被保持部を保持し前記資源回収用管を水平位置或いは前記資源回収開口を海底又は湖底或いは川底近傍の垂直位置に移動させると共にその水面との角度を少し変更する角度変更手段を具備する浮体構造物と、前記資源回収用管下部に具備された撮像手段及び発光手段と前記資源回収用管の中央管に具備され前記撮像手段の出力を表示する表示手段とを備え、前記資源回収用管が水平位置の際内部に水と空気を内蔵すると共に前記他方蛇腹管を畳んだ後前記資源回収用管を垂直位置に移動して前記資源回収開口を海底又は湖底或いは川底近傍の垂直位置に移動させると共に前記角度変更手段により前記資源回収用管の水面との角度を少し変更して前記表示手段により前記資源回収開口付近の資源を検出すると共に前記資源回収用管内で前記内部貫通部材の上部の空気を前記空気排出開口から自然エネルギーにより排気することにより前記資源回収用管内の水面を前記資源回収用管外の水面より上部に移動させて前記内部貫通部材を前記資源回収用管内の上部に移動させることにより前記水排出用開口を開放状態にして前記水排出用開口より海水又は湖水或いは川水を前記資源回収用管の外に放出し前記資源回収用管内の海水又は湖水或いは川水を徐々に上部に移動させて前記資源回収用管内の海水又は湖水或いは川水を循環することにより前記資源回収開口より検出された前記資源を前記資源回収用管内に採取或いは採掘して捕獲した後、前記他方蛇腹管を伸ばし前記資源回収用管を再び水平位置に移動して捕獲した前記資源を回収することを特徴とする。
請求項３に記載の水中資源回収装置は、前記中央管が下部に比較して内外径を大きくし下部は前記資源回収用管の片方蛇腹管が長さを調節可能で何重にも重なり下部にいくほど内外径が小さな管で構成することを特徴とする請求項１〜２のいずれか一項に記載の水中資源採掘装置である。
請求項４に記載の水中資源回収装置は、前記浮体構造物が移動可能であることを特徴とする請求項２〜３のいずれか一項に記載の水中資源回収装置である。
請求項５に記載の水中資源回収装置は、前記資源回収用管最下部の内外径を小さくしたことを特徴とする請求項１〜４のいずれか一項に記載の水中資源回収装置である。
請求項６に記載の水中資源回収装置は、前記資源回収用管最下部の内外径を最下部直上部より大きくし前記最下部直上部の内外径を小さくしたことを特徴とする請求項１〜４のいずれか一項に記載の水中資源回収装置である。
請求項７に記載の水中資源回収装置は、海底又は湖底或いは川底近傍の前記資源回収用管の下部又は外部或いは下部及び外部に海底又は湖底或いは川底を掘削する資源掘削手段を具備することを特徴とする請求項１〜６のいずれか一項に記載の水中資源回収装置である。
請求項８に記載の水中資源回収装置は、前記資源掘削手段を移動させる移動手段を前記資源回収用管が具備することを特徴とする請求項７に記載の水中資源回収装置である。
請求項９に記載の水中資源回収装置は、海底又は湖底或いは川底近傍の前記資源回収用管の下部又は外部或いは下部及び外部に海底又は湖底或いは川底の団塊を粉砕する団塊粉砕手段を具備することを特徴とする請求項１〜６のいずれか一項に記載の水中資源回収装置である。
請求項1０に記載の水中資源回収装置は、前記資源回収用管の下部又は外部或いは下部及び外部の資源掘削手段或いは資源粉砕手段及び資源回収開口は下部開口を具備する外部筺体中に密閉して内蔵されていることを特徴とする請求項７〜９のいずれか一項に記載の水中資源回収装置である。
請求項1１に記載の水中資源回収装置は、長さが調節可能で前記資源回収用管下部を操作可能な外部操作部材により資源掘削手段或いは資源粉砕手段を操作することを特徴とする請求項７〜９のいずれか一項に記載の水中資源採掘装置である。
請求項1２に記載の水中資源回収装置は、前記資源回収用管下部と前記外部操作部材により上部が貫通されると共に下部開口を具備する外部筺体内に前記資源掘削手段或いは資源粉砕手段は密封して内蔵されることを特徴とする請求項１１に記載の水中資源採掘装置である。
請求項1３に記載の水中資源回収装置は、前記資源掘削手段或いは資源粉砕手段は前記外部筺体内で相対的に移動して掘削或いは粉砕することを特徴とする請求項１2に記載の水中資源回収装置である。
請求項1４に記載の水中資源回収装置は、前記浮体構造物は移動可能ことを特徴とする請求項１〜１３のいずれか一項に記載の水中資源回収装置である。
請求項1５に記載の水中資源回収装置は、自然エネルギーの発電手段と蓄電手段を具備しその電力により前記浮体構造物を移動させることを特徴とする請求項１４に記載の水中資源回収装置である。
請求項1６に記載の水中資源回収装置は、一端の上部に空気排出開口と大きな内外径有し水面上の下部の水排出用開口を上部に具備すると共に海底又は湖底或いは川底近傍の他端の下部に内外径を小さくして資源を効率良く採掘する資源回収開口を具備する資源回収手段と、前記資源回収手段上部の内部を貫通し前記内部の水面が前記資源回収手段外の水面と同じである際前記水排出用開口を閉鎖する比重が水より小さな内部部材と、前記空気排出開口と接続し前記資源回収手段内で前記内部部材の上部の空気を排気する空気排気手段と、前記水排出用開口より放出される水を貯水する貯水槽を備え、前記空気排気手段により前記資源回収手段内の前記内部部材の上部の空気を排気することにより前記資源回収手段内の水面を前記資源回収手段外の水面より上部に移動させて前記内部部材を前記資源回収手段内の上部に移動させることにより前記水排出用開口を開放状態にし前記水排出用開口より海水又は湖水或いは川水を前記資源回収手段の外に放出して前記貯水槽に貯水すると共に前記資源回収手段内の海水又は湖水或いは川水を徐々に上部に移動させて循環し海底又は湖底或いは川底近傍の小さな内外径の前記資源回収開口より資源を効率良く前記資源回収手段内に採掘した後前記資源開口を閉鎖して前記資源を捕獲すると共に前記資源回収手段を海面又は湖面或いは川面近傍に移動して捕獲した前記資源を回収し前記浮体構造物を移動させることを特徴とする。
請求項1７に記載の水中資源回収装置は、一端の上部に空気排出開口と大きな内外径有し水面上の下部の水排出用開口を上部に具備すると共に海底又は湖底或いは川底近傍の他端の下部は内外径を小さくして資源を効率良く採掘する資源回収開口を具備する資源回収手段と、前記資源回収手段を保持するとともにその水面との角度を少し変更する角度変更手段を具備する浮体構造物と、前記資源回収手段上部の内部を貫通し前記内部の水面が前記資源回収手段外の水面と同じである際前記水排出用開口を閉鎖する比重が水より小さな内部部材と、前記空気排出開口と接続し前記資源回収手段内で前記内部部材の上部の空気を排気する空気排気手段と、前記資源回収開口を閉鎖する資源開口閉鎖手段と、前記資源回収手段下部に具備された撮像手段及び発光手段及び前記資源回収手段の上端部に具備され前記撮像手段の出力を表示する表示手段と前記水排出用開口より放出される水を貯水する貯水槽とを備え、前記角度変更手段により前記資源回収手段の水面との角度を少し変更して前記表示手段により海底又は湖底或いは川底近傍の団塊を検出すると共に前記空気排気手段により前記資源回収手段内の前記内部部材の上部の空気を排気することにより前記資源回収手段内の水面を前記資源回収手段外の水面より上部に移動させて前記内部部材を前記資源回収手段内の上部に移動させることにより前記水排出用開口を開放状態にし前記水排出用開口より海水又は湖水或いは川水を前記資源回収手段の外に放出して前記貯水槽に貯水すると共に前記資源回収手段内の海水又は湖水或いは川水を徐々に上部に移動させて循環し海底又は湖底或いは川底近傍の小さな内外径の前記資源回収開口より検出された前記資源を効率良く前記資源回収手段内に採掘した後、前記資源開口を閉鎖して前記資源を捕獲すると共に前記資源回収手段を海面又は湖面或いは川面近傍に移動して捕獲した前記資源を回収し前記浮体構造物を移動させることを特徴とする。
請求項1８に記載の水中資源回収装置は、海底又は湖底或いは川底近傍の前記資源回収手段の下部又は外部或いは下部及び外部に海底又は湖底或いは川底の団塊を粉砕する団塊粉砕手段を具備することを特徴とする請求項１６或いは請求項１７のいずれかのい一項に記載の水中資源回収装置である。
請求項1９に記載の水中資源回収装置は、前記浮体構造物を移動させることを特徴する請求項１６〜１８のいずれかのい一項に記載の水中資源回収装置である。
請求項２０に記載の水中資源回収装置は、自然エネルギーの発電手段と蓄電手段を具備しその電力により前記浮体構造物は移動させることを特徴とする請求項１９に記載の水中資源回収装置である。
請求項２1に記載の水中資源回収装置は、前記資源回収手段下部の前記団塊粉砕手段を移動させる移動手段を前記資源回収手段が具備することを特徴とする請求項１８に記載の水中資源回収装置である。
請求項２２に記載の水中資源回収装置の資源回収方法は、一端の上部に空気排出開口と水面上の下部の水排出用開口を上部に具備し資源を採取或いは採掘する資源回収開口を他端の下部に具備する資源回収用管を海上又は湖上或いは川上の浮体構造物から敷設する第１のステップと、前記資源回収用管の内部を貫通し内部の水面が前記資源回収用管外の水面と同じの際前記水排出用開口を閉鎖する比重が水より小さな内部貫通部材の上部の空気を排気することにより前記資源回収用管内の水面を前記資源回収用管外の水面より上部に移動させ前記内部貫通部材を前記資源回収用管内の上部に移動させ前記水排出用開口より海水又は湖水或いは川水を前記資源回収用管外の貯水槽に放出して前記資源回収用管内の海水又は湖水或いは川水を徐々に上部に移動させて循環し前記資源回収開口より前記資源回収用管の下部の資源を前記資源回収用管内に採取或いは採掘して前記資源回収用管内に捕獲する第２のステップよりなる請求項２或いは請求項３のいずれかのい一項に記載の水中資源回収装置の資源回収方法である。
請求項２３に記載の水中資源回収装置の資源回収方法は、一端の上部に空気排出開口と水面上の下部の水排出用開口を上部に具備し資源を採取或いは採掘する資源回収開口を他端の下部に具備する資源回収用管を海上又は湖上或いは川上の浮体構造物から敷設する第１のステップと、前記資源回収用管の内部を貫通し内部の水面が前記資源回収用管外の水面と同じの際前記水排出用開口を閉鎖する比重が水より小さな内部貫通部材の上部の空気を排気することにより前記資源回収用管の中央管内の水面を前記中央管外の水面より上部に移動させて前記内部貫通部材を前記中央管内の上部に移動させ前記水排出用開口より海水又は湖水或いは川水を前記資源回収用管外の貯水槽に放出して前記資源回収用管内の海水又は湖水或いは川水を徐々に上部に移動させて循環し前記資源回収開口より前記資源回収用管の下部の資源を前記資源回収用管内に採取或いは採掘して前記資源回収用管内に捕獲する第２のステップと、前記資源回収用管とほぼ同じ体積の容器を接続し前記資源回収用管内に空気と採取或いは採掘した資源及び海水又は湖水を充填した状態で前記くさりを介して前記資源回収用管を海上或いは湖上に浮かべる第３のステップと、下部の資源を捕獲した前記資源回収用管を移送地に移送する第４のステップよりなる請求項２或いは請求項３のいずれかのい一項に記載の水中資源回収装置の資源回収方法である。
請求項２４に記載の水中資源回収装置の資源回収方法は、資源回収開口を具備し長さが調節可能な下部資源回収用管と、一端の上部に空気排出開口と水面上の下部に水排出用開口を具備する上部資源回収用管の二体構成で前記資源回収用管を構成し、前記第１のステップが前記下部資源回収用管の長さを調節して前記資源回収開口を敷設するステップと、前記上部資源回収用管を前記下部資源回収用管と結合するステップよりなる請求項２２〜２３のいずれかのい一項に記載の資源回収方法である。
請求項２５に記載の水中資源回収装置の資源回収方法は、採取或いは採掘する前は、資源回収用管を水平位置或いは前記資源回収開口を海底又は湖底近傍の垂直位置に移動させる前記浮体構造物が資源回収用管の内部に水と空気を内蔵する状態で水平位置に保持する第１のステップと、採取或いは採掘の際に、もう一方の端部の蛇腹により伸縮可能な他方蛇腹管を折り畳むと共に前記浮体構造物が前記片方蛇腹管を前記資源回収開口が海底又は湖底近傍に移動するべく前記資源回収用管を垂直位置に移動させ前記空気排出開口と中央部近傍の前記水排出用開口が水上に位置させる第２のステップと、前記角度変更手段により前記資源回収用管の中央管の水面との角度を少し変更して前記表示手段により前記資源回収開口付近の資源を検出する第３のステップと、前記資源回収用管の中央管内で前記内部貫通部材の上部の空気を前記自然エネルギー発電手段により排気する空気排気手段によって前記空気排出開口から空気を排気し前記資源回収用管内の水面を前記資源回収用管外の水面より上部に移動させ前記内部貫通部材を前記資源回収用管の中央管内の上部に移動させることにより前記資源回収用管内の海水又は湖水を徐々に上部に移動させ前記資源回収用管内の海水又は湖水を循環することにより前記表示手段より検出された前記資源を前記資源回収開口より前記資源回収用管内に挿入し前記資源を捕獲すると共に前記水排出用開口より海水又は湖水を前記資源回収用管の外に放出し前記貯水槽に貯水する第４のステップと、捕獲された前記資源が十分に前記資源回収用管内に蓄積収納された後、前記資源回収用管を再び水平位置に移動する前に中央管の前記水排出用開口を閉鎖しもう一方の端部の伸縮可能な他方蛇腹管の蛇腹を伸ばした後前記空気排出開口を閉鎖すると共に端部に資源回収開口を具備する前記片方蛇腹管を鎖により再び水平位置に移動し前記浮体構造物のバラスト水を制御することにより前記浮体構造物を沈めて蛇腹を伸ばした他方蛇腹管の空気と前記片方蛇腹管の蓄積収納された前記資源と海水又は湖水を内在して海水又は湖水上を浮力により浮く状態の前記資源回収用管を海水又は湖水上に浮べる第５のステップと、資源を捕獲した前記資源回収用管を移送地に移送する第６のステップよりなる請求項２２或いは請求項２３のいずれかのい一項に記載の水中資源回収装置の資源回収方法である。
請求項２６に記載の水中資源回収装置は、一端の上部に水面上の下部の水排出用開口を具備し資源を採取或いは採掘する資源回収開口を他端の下部に具備する資源回収手段と、前記資源回収手段の内部に水面が前記資源回収手段外の水面と同じである際前記水排出用開口を閉鎖する比重が水より小さな内部部材を備え、前記資源回収手段内の上部の空気を排気し前記資源回収手段内上部の水面を前記資源回収手段外の水面より上部に移動させることにより前記内部部材を前記資源回収手段内の上部に移動させて前記水排出用開口の閉鎖を放出可能にすることにより前記水排出用開口より海水又は湖水或いは川水を前記資源回収手段の外に放出して前記資源回収手段内の海水又は湖水或いは川水の下層水を徐々に上部に移動させ前記資源回収手段用管内の海水又は湖水或いは川水の下層水を循環することにより前記資源回収開口より前記資源を前記資源回収手段内に採取或いは採掘して捕獲すると共に前記資源回収手段を移動して前記資源を回収することを特徴とする。
請求項２７に記載の水中資源回収装置は、一端の上部に空気排出開口と水面上の下部の水排出用開口を具備し資源を採取し或いは採掘する資源回収開口と前記資源回収開口を閉鎖する資源開口閉鎖手段を他端の下部に具備する資源回収手段と、前記資源回収手段の一端の上部を保持する保持部材と前記水排出用開口から排出される水を貯水する着脱可能な貯水槽を具備すると共に前記資源回収手段の水面との角度を少し変更する角度変更手段を具備する浮体構造物と、前記資源回収手段の内部に水面が前記資源回収手段外の水面と同じである際前記水排出用開口を閉鎖する比重が水より小さな内部部材と、自然エネルギー発電手段と、前記空気排出開口と接続され前記資源回収手段内での前記内部部材の上部の空気を前記自然エネルギー発電手段により排気する空気排気手段と、前記資源回収手段下部に具備された撮像手段及び発光手段と前記資源回収手段の上端部に具備され前記撮像手段の出力を表示する表示手段とを備え、前記角度変更手段により前記資源回収手段の水面との角度を少し変更して前記表示手段により前記資源回収手段下部の資源を検出し前記空気排気手段により前記資源回収手段内の上部の空気を排気し前記資源回収手段内上部の水面を前記資源回収手段外の水面より上部に移動させることにより前記内部部材を前記資源回収手段内の上部に移動させて前記水排出用開口の閉鎖を放出可能にすることにより前記水排出用開口より海水又は湖水或いは川水を前記資源回収手段の外に放出して前記貯水槽に貯水すると共に前記資源回収手段内の海水又は湖水或いは川水の下層水を徐々に上部に移動させ循環することにより検出された前記資源を前記資源回収開口より挿入することにより前記資源を前記資源回収手段内に採取或いは採掘した後、前記資源開口閉鎖手段により前記資源回収開口を閉鎖し前記資源を捕獲すると共に前記資源回収手段を移動して前記資源を回収することを特徴とする。
請求項２８に記載の水中資源回収装置は、一端の上部に空気排出開口と大きな内外径有し水面上の下部の水排出用開口を具備すると共に資源を効率良く採掘する内外径の小さな資源回収開口と前記資源回収開口を閉鎖する資源開口閉鎖手段を他端の下部に具備する資源回収手段と、前記資源回収手段上部の内部に水面が前記資源回収手段外の水面と同じである際前記水排出用開口を閉鎖する比重が水より小さな内部部材と、前記空気排出開口と接続し前記資源回収手段内で前記内部部材の上部の空気を排気する空気排気手段と、前記水排出用開口より放出される水を貯水する貯水槽を備え、前記空気排気手段により前記資源回収手段内の上部の空気を排気し前記資源回収手段内上部の水面を前記資源回収手段外の水面より上部に移動させることにより前記内部部材を前記資源回収手段内の上部に移動させて前記水排出用開口の閉鎖を放出可能にすることにより前記水排出用開口より海水又は湖水或いは川水を前記資源回収手段の外に放出して前記貯水槽に貯水すると共に前記資源回収手段内の海水又は湖水或いは川水の下層水を徐々に上部に移動させて循環し海底又は湖底或いは川底近傍の小さな内外径の前記資源回収開口より資源を効率良く前記資源回収手段内に採掘した後前記資源開口閉鎖手段により前記資源開口を閉鎖し前記資源を捕獲すると共に前記資源回収手段を移動して前記資源を回収することを特徴とする。